(57)【要約】【課題】  音声記録再生装置及び音声再生装置において、記録された複数チャンネルの音声のうち、音声が設定時間以上続いて記録されたチャンネルを選択して出力する。【解決手段】  音声記録再生装置及び音声再生装置において、前記記録媒体にチャンネル毎に記録された音声データを再生する音声再生手段と、入力された音声データが予め定めた時間以上連続するか否かを検出する連続時間検出手段と、前記連続時間検出手段が予め定めた時間以上連続したと検出したチャンネルの音声データを前記音声再生手段に再生させる制御手段とを備える【選択図】      図１
2006024247.tif 000002
【特許請求の範囲】
【請求項１】
複数のチャンネルの音声データを記録し再生する音声記録再生装置において、チャンネル毎に入力される音声データの入力開始と入力終了を検出する音声検出手段と、チャンネル毎に入力される音声データを記録する第１の記録手段と、前記第１の記録手段に記録される音声データに関連するインデックスデータを記録する第２の記録手段と、時刻を計時する計時手段と、前記音声検出手段が音声データの入力開始を検出した時から入力終了を検出した時までの間前記第１の記録手段に音声データを記録させ、前記計時手段が出力する時刻データに基づいて前記音声検出手段が検出した音声データの入力開始を示す時刻と入力終了を示す時刻とを前記第２の記録手段を制御してインデックスデータに記録させる記録制御手段と、前記第１の記録手段に記録された音声データを再生する音声再生手段と、前記第２の記録手段に記録されたインデックスデータの入力開始時刻及び入力終了時刻に基づいて音声データが予め定めた時間以上連続して記録されているか否かを検出する連続時間検出手段と、前記連続時間検出手段が予め定めた時間以上連続したと検出したチャンネルの音声データを前記音声再生手段に再生させる再生制御手段とを備えることを特徴とする音声記録再生装置。
【請求項２】
複数のチャンネルの音声データ及び前記各チャンネルの音声データに関連するインデックスデータが記録され前記インデックスデータには音声データの入力開始時刻と入力終了時刻が記録されている記録媒体を再生する音声再生装置であって、前記記録媒体にチャンネル毎に記録された音声データを再生する音声再生手段と、インデックスデータの入力開始時刻及び入力終了時刻に基づいて音声データが予め定めた時間以上連続して記録されているか否かを検出する連続時間検出手段と、前記連続時間検出手段が予め定めた時間以上連続して音声データが記録されていると検出したチャンネルの音声データを前記音声再生手段に再生させる制御手段とを備えることを特徴とする音声再生装置。
【請求項３】
複数のチャンネルの音声データを記録し再生する音声記録再生装置において、チャンネル毎に入力される音声データを記録する記録手段と、前記記録手段に記録された音声データを再生する音声再生手段と、前記音声再生手段が再生する音声データの振幅が予め定めた値以上であるか否かを検出する検出手段と、前記検出手段によって振幅が予め定めた値以上であると検出された音声データが予め定めた時間以上連続するか否かを検出する連続時間検出手段と、前記連続時間検出手段が予め定めた時間以上連続したと検出したチャンネルの音声データを前記音声再生手段に再生させる制御手段とを備えることを特徴とする音声記録再生装置。
【請求項４】
複数のチャンネルの音声データが記録された記録媒体を再生する音声再生装置において、記録媒体にチャンネル毎に記録された音声データを再生する音声再生手段と、前記音声再生手段が再生する音声データの振幅が予め定めた値以上であるか否かを検出する検出手段と、前記検出手段によって振幅が予め定めた値以上であると検出された音声データが予め定めた時間以上連続するか否かを検出する連続時間検出手段と、前記連続時間検出手段が予め定めた時間以上連続したと検出したチャンネルの音声データを前記音声再生手段に再生させる制御手段とを備えることを特徴とする音声再生装置。
【発明の詳細な説明】
【技術分野】
【０００１】
本発明は、複数チャンネルの音声データを記録し再生する音声記録再生装置、及び複数チャンネルの音声データを再生する音声再生装置に関する。
【背景技術】
【０００２】
会議等、室内で複数の話者が対話する音声を記録するために、室内の複数箇所にマイクロホンを設置して、各々のマイクロホンから入力される音声を入力系統(チャンネル)毎に記録し再生する記録再生装置がある(特許文献１参照)。記録再生装置に記録された音声データは議事録を作成する場合などに用いられ、議事録作成者などが会議後に会議の発言を聴取する場合に音声データを再生して使用する。
【０００３】
また、複数のマイクロホンから入力される音声情報を管理ファイルに記憶し、入力されたマイクロホン毎の音声データの記録状況、即ち時間の経過に沿った音声データの記録の有無をディスプレイに表示し、使用者が当該表示を見ながら、入力されたマイクロホン又は時間帯を選択することによって、当該選択された音声データを再生する音声録音再生装置がある(特許文献２参照)。
【０００４】
【特許文献１】特開２０００−９０７５４号公報
【特許文献２】特開２００３−１２２３９７号公報
【発明の開示】
【発明が解決しようとする課題】
【０００５】
特許文献１に記載された記録再生装置は、複数チャンネルの音声データを再生するとき、チャンネル毎に検出した音声信号レベルが予め定めたしきい値以下の場合には、当該チャンネルの音声信号レベルを一定量減衰させた後、全チャンネルの音声を合成して出力する。しきい値以下の音声信号レベルが自動的に一定量減衰されるので、発言者が、記録用マイクロホンから離れていた場合、又は声の小さな人であった場合、記録された音声信号レベルがしきい値を下回ることがあり、当該音声が再生されなくなることがある。また、このような音声信号レベルがしきい値を下回ることによって当該音声データが再生されなくなることを防止するために音声信号レベルのしきい値を下げると、会議の発言の聴取に不要な音声も再生されることがあり、議事録の作成等に必要な発言の聴取に支障となる虞があった。
【０００６】
特許文献２に記載された音声録音再生装置は、使用者がディスプレイに表示される音声データの記録状況を見て、再生する音声データを選択する操作を必要とする。
会議中の発言者は、複数の相手に対して発言するときに複数の相手を交互に見て発言するため、発言中に顔の向きを変えることがあり、マイクロホンによって収音される声の大きさが変わることがあった。そうすると、複数箇所に設置したマイクロホンを使用して記録する場合、同じ発言者の一連の発言であっても、発言中に顔の向きを変えることによって、その発言者の発言が収音されるマイクロホンが変わる。このような場合、特許文献２に記載された音声録音再生装置において、使用者は、同じ発言者の一連の発言を再生するために、音声データの選択をいちいち手動で操作しなければならなかった。
【０００７】
本発明の目的は、音声記録再生装置及び音声再生装置において、記録された複数チャンネルの音声データのうち、予め定めた時間以上続けて音声データが記録されたチャンネルを自動的に選択して音声データを出力する機能を備える装置を提供することにある。
【課題を解決するための手段】
【０００８】
本発明の請求項１に記載の音声記録再生装置は、複数のチャンネルの音声データを記録し再生する音声記録再生装置において、チャンネル毎に入力される音声データの入力開始と入力終了を検出する音声検出手段と、チャンネル毎に入力される音声データを記録する第１の記録手段と、前記第１の記録手段に記録される音声データに関連するインデックスデータを記録する第２の記録手段と、時刻を計時する計時手段と、前記音声検出手段が音声データの入力開始を検出した時から入力終了を検出した時までの間前記第１の記録手段に音声データを記録させ、前記計時手段が出力する時刻データに基づいて前記音声検出手段が検出した音声データの入力開始を示す時刻と入力終了を示す時刻とを前記第２の記録手段を制御してインデックスデータに記録させる記録制御手段と、前記第１の記録手段に記録された音声データを再生する音声再生手段と、前記第２の記録手段に記録されたインデックスデータの入力開始時刻及び入力終了時刻に基づいて音声データが予め定めた時間以上連続して記録されているか否かを検出する連続時間検出手段と、前記連続時間検出手段が予め定めた時間以上連続したと検出したチャンネルの音声データを前記音声再生手段に再生させる再生制御手段とを備えるものである。
【０００９】
本発明の請求項２に記載の音声再生装置は、複数のチャンネルの音声データ及び前記各チャンネルの音声データに関連するインデックスデータが記録され前記インデックスデータには音声データの入力開始時刻と入力終了時刻が記録されている記録媒体を再生する音声再生装置であって、前記記録媒体にチャンネル毎に記録された音声データを再生する音声再生手段と、インデックスデータの入力開始時刻及び入力終了時刻に基づいて音声データが予め定めた時間以上連続して記録されているか否かを検出する連続時間検出手段と、前記連続時間検出手段が予め定めた時間以上連続して音声データが記録されていると検出したチャンネルの音声データを前記音声再生手段に再生させる制御手段とを備えるものである。
【００１０】
本発明の請求項３に記載の音声記録再生装置は、複数のチャンネルの音声データを記録し再生する音声記録再生装置において、チャンネル毎に入力される音声データを記録する記録手段と、前記記録手段に記録された音声データを再生する音声再生手段と、前記音声再生手段が再生する音声データの振幅が予め定めた値以上であるか否かを検出する検出手段と、前記検出手段によって振幅が予め定めた値以上であると検出された音声データが予め定めた時間以上連続するか否かを検出する連続時間検出手段と、前記連続時間検出手段が予め定めた時間以上連続したと検出したチャンネルの音声データを前記音声再生手段に再生させる制御手段とを備えるものである。
【００１１】
本発明の請求項４に記載の音声再生装置は、複数のチャンネルの音声データが記録された記録媒体を再生する音声再生装置において、記録媒体にチャンネル毎に記録された音声データを再生する音声再生手段と、前記音声再生手段が再生する音声データの振幅が予め定めた値以上であるか否かを検出する検出手段と、前記検出手段によって振幅が予め定めた値以上であると検出された音声データが予め定めた時間以上連続するか否かを検出する連続時間検出手段と、前記連続時間検出手段が予め定めた時間以上連続したと検出したチャンネルの音声データを前記音声再生手段に再生させる制御手段とを備えるものである。
【発明の効果】
【００１２】
本発明の音声記録再生装置及び音声再生装置によれば、記録された複数チャンネルの音声データのうち、予め定めた時間以上続いて音声データが記録されたチャンネルを自動的に選択して音声データを再生することができる。
【発明を実施するための最良の形態】
【００１３】
図１は本発明の音声記録再生装置の一実施例の構成を示すブロック図である。ｎチャンネルの入力端子１ａ、１ｂ、・・・、１ｎには、それぞれマイクロホンが接続され、マイクロホンからの音声信号が音声入力部２ａ、２ｂ、・・・、２ｎに入力される。音声入力端子２ａ、２ｂ、・・・、２ｎは、各々、音声検出部２０１ａ、２０１ｂ、・・・、２０１ｎ、音声圧縮部２０２ａ、２０２ｂ、・・・、２０２ｎを備える。
【００１４】
音声検出部２０１ａ、２０１ｂ、・・・、２０１ｎは、入力端子１ａ、１ｂ、・・・、１ｎから入力される音声信号の振幅電圧の実効値が、音声検出部２０１ａ、２０１ｂ、・・・、２０１ｎ内に予め設定された電圧値以上であるか否か（又は、音声信号が入力されないときのノイズの電圧値を越えるか否か）を判別することによって音声データの入力の有無を検出し、検出信号を機器制御部３０１に出力する。ここで、音声信号が入力された場合であっても、入力された音声信号の振幅電圧が予め設定された電圧値未満であれば、音声検出部２０１ａ、２０１ｂ、・・・、２０１ｎは、音声データの入力なしと判別する。
また、音声検出部２０１ａ、２０１ｂ、・・・、２０１ｎは、音声データの入力を検出した後、予め定めた時間（例えば0.5秒程度）、音声データの入力がない状態を検出しても、音声データの入力なしの検出信号を出力しない。従って、後述する記録再生部４は、音声データの記録の処理を続行し、このことによって、一発言の途中で短時間の中断や休止があったとしても、一連の音声データとして記録することができる。
音声圧縮部２０２ａ、２０２ｂ、・・・、２０２ｎは、入力端子１ａ、１ｂ、・・・、１ｎから入力される音声信号をデジタルオーディオ信号に変換して圧縮処理して記録部４に出力する。音声圧縮部１０２が出力したデジタルオーディオ信号は、記録部４の音声記録領域部４０１に記録される。
【００１５】
制御部３は、機器制御部３０１、計時部３０２、設定部３０３を備える。
計時部３０２は、現在時刻を計時し日時データを機器制御部３０１に出力する。
設定部３０３は、音声データを出力する条件として、音声検出部２０１ａ、２０１ｂ、・・・、２０１ｎが入力ありと検出した音声データの連続時間を予め設定する。
機器制御部３０１は、使用者が操作パネル６に備える記録開始ボタン６０１を操作することによって、圧縮された音声データを記録再生部４の音声記録領域部４０１に記録するように制御する。
機器制御部３０１は、操作パネル６に備える記録開始ボタン６０１又は記録停止ボタン６０２が使用者によって操作された時刻と、音声検出部１０１の検出信号が音声データの入力無しから入力ありに変化した時刻と、音声検出部１０１の検出信号が音声データの入力ありから入力無しに変化した時刻を、計時部３０２から出力される日時データに基づいて、記録再生部４のインデックス記録領域部４０２に記録する。
【００１６】
機器制御部３０１は、操作パネル６に備える自動再生開始ボタン６０３が使用者によって操作された場合、インデックス記録領域部４０２に記録されているインデックスデータ及び装置の動作状態を表示部７に表示する制御をする。
機器制御部３０１は、音声記録領域部４０１に記録されている音声データを再生する場合、設定部３０３に予め設定された時間以上の時間、連続して音声データの入力ありと検出されたチャンネルの音声データを出力するように、出力選択部５０１を制御する。
【００１７】
記録再生部４は、不揮発性半導体メモリ等の記録媒体を用いたデータ記録再生装置であり、データ記録再生装置内の記録領域には、第１の記録再生部として音声データを記録再生するための音声記録領域部４０１、第２の記録再生部として音声データを検索するための見出し情報であるインデックスデータを記録再生するためのインデックス記録領域部４０２が設けられている。記録再生部４は、制御部３の制御により音声データ及びインデックスデータの記録再生を行う。
【００１８】
音声出力部５は、出力選択部５０１、バッファ５０２ａ、５０２ｂ、・・・、５０２ｎ、音声伸張部５０３ａ、５０３ｂ、・・・、５０３ｎ、音声増幅部５０４、スピーカ５０５を備える。
出力選択部５０１は、機器制御部３０１の制御によって、記録再生部４から出力されるチャンネル毎の音声データをバッファ５０２ａ、５０２ｂ、・・・、５０２ｎに出力するか否かを選択する。バッファ５０２ａ、５０２ｂ、・・・、５０２ｎは、出力選択部５０１から出力された音声データを、機器制御部３０２の制御によって出力タイミングを調整して、音声伸張部５０３ａ、５０３ｂ、・・・、５０３ｎに出力する。音声伸張部５０３ａ、５０３ｂ、・・・、５０３ｎは、圧縮された音声データを伸張処理しアナログ音声信号に変換して音声増幅部５０４に出力する。音声増幅部５０４は、入力された音声信号を出力選択部５０１が選択したチャンネル分合成して増幅し、スピーカ５０５を介して外部に出力する。
【００１９】
操作パネル６は、記録開始ボタン６０１、記録停止ボタン６０２、自動再生開始ボタン６０３、再生停止ボタン６０４、手動再生開始ボタン６０５、チャンネル入力部６０６を備える。
記録開始ボタン６０１は、使用者の操作に基づいて、音声の記録開始の操作信号を出力する。記録停止ボタン６０２は、使用者の操作に基づいて、音声の記録停止の操作信号を出力する。自動再生開始ボタン６０３は、使用者の操作に基づいて、音声の自動再生開始の操作信号を出力する。再生停止ボタン６０４は、使用者の操作に基づいて、音声の再生停止の操作信号を出力する。手動再生開始ボタン６０５は、使用者の操作に基づいて、音声の手動再生開始の操作信号を出力する。チャンネル入力部６０６は、使用者の操作に基づいて、再生チャンネルの入力の操作信号を出力する。
【００２０】
表示部７は、機器制御部３０１から出力される、装置の動作状態、再生する音声チャンネルを示す番号、インデックスデータに記録されている時刻等を表示する。
【００２１】
図２は、本実施例の音声記録再生装置の記録動作を示すフローチャートである。
装置の電源スイッチをオンにした後、記録開始ボタン６０１を押すと(Ｓ１でＹｅｓ)、装置は音声データを記録開始可能な状態で待機し、音声検出部２０１ａ、２０１ｂ、・・・、２０１ｎによって各チャンネルの音声データの入力の有無を検出する(Ｓ２)。音声検出部２０１ａ、２０１ｂ、・・・、２０１ｎは、音声データの入力電圧により音声データの入力ありと検出すると(Ｓ２でＹｅｓ)、機器制御部３０１に音声データの入力ありの検出信号を出力する。
【００２２】
機器制御部３０１は、音声データの入力ありの検出信号が入力されると、当該音声データの入力があったチャンネルの音声データの記録開始時刻を含むインデックスデータを作成し、インデックス記録領域部４０２に記録するように記録再生部４を制御し(Ｓ３)、音声圧縮部２０２ａ、２０２ｂ、・・・、２０２ｎが圧縮処理した音声データを音声記録領域部４０１に記録開始するように記録再生部４を制御する(Ｓ４)。
音声データの記録を開始した後、音声検出部２０１ａ、２０１ｂ、・・・、２０１ｎが当該チャンネルの音声なしと検出すると(Ｓ５でＮｏ)、音声データの入力なしの検出信号を機器制御部３０１に出力する。機器制御部３０１は、音声データの記録を停止するように記録再生部４を制御し、当該チャンネルの記録終了時刻を含むインデックスデータをインデックス記録領域部４０２に記録するように記録再生部４を制御する(Ｓ６)。
【００２３】
記録停止ボタン６０２が押されなければ(Ｓ７でＮｏ)、装置は、Ｓ２の音声検出部２０１ａ、２０１ｂ、・・・、２０１ｎによる音声データの入力の有無の検出処理に戻って、音声データを記録開始可能な状態で待機し、以後の処理を行う。記録停止ボタン６０２が押されれば(Ｓ７でＹｅｓ)、終了する。
以上の記録動作により、入力されたチャンネル毎に音声データの入力ありと検出されたとき、音声データは音声記録領域部４０１に記録される。
【００２４】
図３は、本実施例の図１の音声記録再生装置及び後述する図４の音声再生装置の再生動作を示すフローチャートである。
装置の電源スイッチをオンにした後、音声データの再生を開始する場合(ＳＴ１)、自動再生開始ボタン６０３が押されると(ＳＴ２でＹｅｓ)、機器制御部３０１は、インデックス記録領域部４０２に記録されたインデックスデータを読み出し、インデックスデータに記録された記録開始時刻及び記録終了時刻から音声データの記録時間を算出し、音声データが、設定部３０３に予め設定された時間以上連続して記録されたチャンネルを、検索する(ＳＴ３)。
【００２５】
検索した結果、音声データが、設定部３０３に予め設定された時間以上連続して記録されたチャンネルがあれば(ＳＴ４でＹｅｓ)、機器制御部３０１は、音声出力部５を制御して、該当するチャンネルの音声データを再生させる(ＳＴ５)。ここで、該当するチャンネルが複数ある場合には、その複数のチャンネルの音声データを音声増幅部５０４が合成して再生する。音声データが終了するまで(ＳＴ８でＮｏ)、再生が継続している間は(ＳＴ９でＮｏ)、手動再生開始ボタンが押されたか否かの確認(ＳＴ２)、設定部３０３に予め設定された時間以上連続して記録されたチャンネルの検索(ＳＴ３)を行う。
【００２６】
ＳＴ２で手動再生開始ボタンが押されたとき(ＳＴ２でＮｏ)、使用者がチャンネル入力ボタン６０６を操作して再生するチャンネルの番号を指定することによって、機器制御部３０１は、音声出力部５を制御して、指定されたチャンネルの音声データを再生させる(ＳＴ７)。
【００２７】
音声データの再生中に、設定部３０３に予め設定された時間以上連続して記録されたチャンネルの検索(ＳＴ３)を行った結果によって、再生していないチャンネルで音声データの記録ありと検出された場合、又は再生しているチャンネルで音声データの記録なしと検出された場合、機器制御部２０１は、音声データの記録ありと検出されたチャンネルの音声データを再生するチャンネルに加え、音声データの記録なしと検出されたチャンネルの音声データを再生するチャンネルから外して、該当するチャンネルに切り換えて再生する(ＳＴ５)。
【００２８】
ＳＴ４で検索した結果、該当チャンネルがない場合(ＳＴ４でＮｏ)、機器制御部３０１は、音声出力部５を制御して、全チャンネルの音声データを音声増幅部５０４によって合成して再生する(ＳＴ６)。音声出力部５の出力は、音声データが終了するか(ＳＴ８でＹｅｓ)、又は再生停止ボタン６０４が押される(ＳＴ９でＹｅｓ)まで続行される。
以上のようにして、音声データが記録されたチャンネルを自動的に選択して、再生することができる。
【００２９】
ＳＴ２で手動再生開始ボタンが押されたとき(ＳＴ２でＮｏ)、使用者がチャンネル入力ボタン６０６を操作して再生するチャンネルの番号を指定することによって、機器制御部３０１は、音声出力部５を制御して、指定されたチャンネルの音声データを再生させ(ＳＴ７)、ＳＴ８以降の処理を行う。
以上の再生動作により、複数のチャンネルのうち、音声データが記録されたチャンネルが、自動的に選択されて再生される。
【００３０】
図４は、本発明の音声再生装置の一実施例の構成を示すブロック図である。図４において、図１と共通の構成要素には同符号を付して説明を省略する。図４に示す音声再生装置と図１の音声記録再生装置との相違点は、図４の音声再生装置は、入力端子１ａ、１ｂ、・・・、１ｎ、音声入力部２ａ、２ｂ、・・・、２ｎ、記録再生部４を備えないこと、記録媒体９の再生を行う再生部１０を備えることである。
【００３１】
再生部１０は、データが記録されたメモリカード等の記録媒体９を再生する装置を用い、制御部３ｂの制御により音声データ及びインデックスデータの再生を行う。
制御部３ｂは、機器制御部３０１ｂ、計時部３０２を備える。
機器制御部３０１ｂは、操作パネル６ｂに備える自動再生開始ボタン６０３が操作された場合、インデックス記録領域部９０２に記録されているインデックスデータ及び装置の動作状態を表示部７に表示し、音声記録領域部９０１に記録されている音声データを再生する場合、設定部３０３に予め設定された時間以上の時間、連続して音声データありと検出されたチャンネルの音声データを出力するように、出力選択部５０１を制御する。
図４の音声再生装置は、図３の再生動作を示すフローチャートに従って再生動作を行う。
【００３２】
図５は、図４の音声再生装置が再生する記録媒体の記録を行う音声記録装置の構成の一例を示すブロック図である。図５において、図１と共通の構成要素には同符号を付して説明を省略する。図５に示す音声記録装置と図１の音声記録再生装置との相違点は、図５の音声記録装置は、記録再生部４、音声出力部５を備えないこと、記録媒体９に記録を行う記録部８を備えることである。
【００３３】
制御部３ａは、機器制御部３０１ａ、計時部３０２を備える。
機器制御部３０１ａは、操作パネル６ａに備える記録開始ボタン６０１を操作することによって、圧縮された音声データを記録部８によって記録媒体９の音声記録領域部９０１に記録するように制御する。
機器制御部３０１ａは、操作パネル６ａに備える記録開始ボタン６０１、記録停止ボタン６０２が操作された時刻、及び音声検出部１０１から音声ありの検出信号が出力された場合、音声データの入力開始時刻と入力終了時刻を、計時部３０２から出力される日時データに基づいて、記録部８によって記録媒体９のインデックス記録領域部９０２に記録する。
【００３４】
記録部８は、交換可能なメモリカード等の記録媒体９を用いたデータ記録装置であり、記録媒体９の記録領域を、音声データを記録するための音声記録領域部９０１、音声データを検索するための見出し情報であるインデックスデータを記録するためのインデックス記録領域部９０２を設けて構成し、制御部３ａの制御により音声データ及びインデックスデータの記録を行う。
【００３５】
図６は本発明の音声記録再生装置の他の実施例の構成を示すブロック図である。図６において、図１と共通の構成要素には同符号を付して説明を省略する。図６に示す音声記録再生装置の図１の音声記録再生装置との相違点は、図６の音声記録再生装置は、音声出力部５に検出部５０６ａ、５０６ｂ、・・・、５０６ｎを備えることである。
設定部３０３は、音声データを出力する条件として、音声データを検出するための電圧値、及び音声データの入力ありの状態の連続時間を、予め設定する。
【００３６】
音声出力部５は、検出部５０６ａ、５０６ｂ、・・・、５０６ｎ、出力選択部５０１、バッファ５０２ａ、５０２ｂ、・・・、５０２ｎ、音声伸張部５０３ａ、５０３ｂ、・・・、５０３ｎ、音声増幅部５０４、スピーカ５０５を備える。
検出部５０６ａ、５０６ｂ、・・・、５０６ｎは、機器制御部３０１に接続され、記録再生部４から音声データが出力されるチャンネル毎に、設定部３０３に設定された電圧値及び時間に基づいて、音声データの入力の有無を検出し、音声データが検出された場合にはその連続時間を検出する。
出力選択部５０１は、機器制御部３０１の制御によって、検出部５０６ａ、５０６ｂ、・・・、５０６ｎから出力されるチャンネル毎の音声データをバッファ５０２ａ、５０２ｂ、・・・、５０２ｎに出力するか否かを選択する。
【００３７】
図７は、本発明の音声再生装置の他の実施例の構成を示すブロック図である。図７において、図４、図６と共通の構成要素には同符号を付して説明を省略する。図７に示す音声再生装置と図４の音声再生装置との相違点は、図７の音声再生装置は、音声出力部５に検出部５０６ａ、５０６ｂ、・・・、５０６ｎを備えることである。
【００３８】
図８は、本実施例の図６の音声記録再生装置及び図７の音声再生装置の再生動作を示すフローチャートである。
装置の電源スイッチをオンにした後、音声データの再生を開始する場合(ＳＴ１)、自動再生開始ボタン６０３が押されると(ＳＴ２でＹｅｓ)、機器制御部３０１は、音声記録領域部４０１に記録されたチャンネル毎の音声データを音声出力部５に出力させる。音声記録領域部４０１からの音声データは、チャンネル毎の検出部５０６ａ、５０６ｂ、・・・、５０６ｎに入力される。検出部５０６ａ、５０６ｂ、・・・、５０６ｎは、設定部３０３に設定された電圧値及び時間に基づいて、音声データの入力の有無を検出し、音声データが検出された場合にはその連続時間を検出する(ＳＴ１０)。
【００３９】
検出部５０６ａ、５０６ｂ、・・・、５０６ｎが、音声データの入力があり、音声データの入力ありの状態が設定部３０３に予め設定された時間以上の時間連続するチャンネルを検出した場合(ＳＴ１１でＹｅｓ)、機器制御部３０１は、音声出力部５を制御して、該当するチャンネルの音声データを再生する(ＳＴ５)。ここで、該当するチャンネルが複数ある場合には、その複数のチャンネルの音声を音声増幅部５０４が合成して再生する。
音声データが終了するまで(ＳＴ８でＮｏ)、再生が継続している間は(ＳＴ９でＮｏ)、手動再生開始ボタンが押されたか否かの確認(ＳＴ２)、音声データの入力の有無の検出、音声データが検出された場合にはその連続時間の検出 (ＳＴ１０)を行う。
【００４０】
ＳＴ２で手動再生開始ボタンが押されたとき(ＳＴ２でＮｏ)、使用者がチャンネル入力ボタン６０６を操作して再生するチャンネルの番号を指定することによって、機器制御部３０１は、音声出力部５を制御して、指定されたチャンネルの音声データを再生させる(ＳＴ７)。
【００４１】
音声データの再生中に、音声データの入力の有無の検出、音声データが検出されればその連続時間の検出(ＳＴ１０)を行った結果、再生していないチャンネルで音声データが検出された場合、又は再生しているチャンネルで音声データが検出されなかった場合、機器制御部２０１は、検出されたチャンネルの音声データを再生するチャンネルに加え、検出されなかったチャンネルの音声データを再生するチャンネルから外して、該当するチャンネルに切り換えて再生する(ＳＴ５)。
【００４２】
ＳＴ１１で該当するチャンネルがない場合(ＳＴ１１でＮｏ)、機器制御部３０１は、音声出力部５を制御して、全チャンネルの音声を音声増幅部５０４によって合成して再生する(ＳＴ６)。音声出力は、音声データが終了するか(ＳＴ８でＹｅｓ)、又は再生停止ボタン６０４が押される(ＳＴ９でＹｅｓ)まで続行される。
【００４３】
ＳＴ２で手動再生開始ボタンが押されたとき(ＳＴ２でＮｏ)、使用者がチャンネル入力ボタン６０６を操作して再生するチャンネルを指定することによって、機器制御部３０１は、音声出力部５を制御して、指定されたチャンネルの音声データを再生させ(ＳＴ７)、ＳＴ８以降の処理を行う。
【００４４】
以上のように、本実施例の音声記録再生装置及び音声再生装置は、複数のチャンネルに記録された音声データを、音声データが記録されたチャンネルを自動的に選択して再生することができる。
【００４５】
本実施例の音声記録再生装置及び音声再生装置によれば、複数のチャンネルに記録された音声データを再生する場合、音声データが予め設定した時間以上連続して記録されたチャンネルを選択して音声データを合成して出力するので、音声データが記録されていないチャンネルの雑音の影響を受けず、短時間の雑音や不規則な発言が記録されたチャンネルの音声データを軽減した再生を自動的に行うことができる
【００４６】
本実施例の音声記録再生装置及び音声再生装置によれば、音声データが記録されたチャンネルを選択して音声データを合成して出力するので、単一のチャンネルの音声データだけでは十分に聴き取れない場合であっても、当該音声データが記録されている可能性のあるチャンネルの音声データを合成して出力するので、聴き取りやすくすることができる場合がある。例えば、離れて設置したマイクロホンの中間位置で発言者が発言した場合、どちらか一方のマイクロホンが収音した音声データだけでは聴き取れなくても、両方の音声データを合成して再生し、聴き取りやすくすることができる。
【００４７】
本実施例の音声記録再生装置及び音声再生装置によれば、議事録を作成する場合等にも手動操作を行うことなく、音声データが記録されたチャンネルを自動的に選択して、音声データを聴取することができる。
【図面の簡単な説明】
【００４８】
【図１】本発明の音声記録再生装置の一実施例の構成を示すブロック図である。
【図２】本実施例の音声記録再生装置の記録動作を示すフローチャートである。
【図３】本実施例の音声記録再生装置及び音声再生装置の再生動作を示すフローチャートである。
【図４】本発明の音声再生装置の一実施例の構成を示すブロック図である。
【図５】本発明の音声再生装置が再生する記録媒体に記録する音声記録装置の構成の例を示すブロック図である。
【図６】本発明の音声記録再生装置の他の実施例の構成を示すブロック図である。
【図７】本発明の音声再生装置の他の実施例の構成を示すブロック図である。
【図８】本実施例の音声記録再生装置及び音声再生装置の再生動作を示すフローチャートである。
【符号の説明】
【００４９】
１ａ、１ｂ、１ｎ  入力端子
２ａ、２ｂ、２ｎ  音声入力部
３、１０、１１  制御部
４  記録再生部
５  音声出力部
６、６ａ、６ｂ  操作パネル
７  表示部
８  記録部
９  記録媒体
１０  再生部
２０１ａ、２０１ｂ、２０１ｎ  音声検出部
２０２ａ、２０２ｂ、２０２ｎ  音声圧縮部
３０１、３０１ａ、３０１ｂ  機器制御部
３０２、３０２ａ、３０２ｂ  計時部
４０１、９０１  音声記録領域部
４０２、９０２  インデックス記録領域部
５０１  出力選択部
５０２ａ、５０２ｂ、５０２ｎ  バッファ
５０３ａ、５０３ｂ、５０３ｎ  音声伸長部
５０４  音声増幅部
５０５  スピーカ
６０１  記録開始ボタン
６０２  記録停止ボタン
６０３  自動再生開始ボタン
６０４  再生停止ボタン
６０５  手動再生開始ボタン
６０６  チャンネル入力部
【図１】
2006024247.tif 000003
【図２】
2006024247.tif 000004
【図３】
2006024247.tif 000005
【図４】
2006024247.tif 000006
【図５】
2006024247.tif 000007
【図６】
2006024247.tif 000008
【図７】
2006024247.tif 000009
【図８】
2006024247.tif 000010